(57)【特許請求の範囲】
【請求項１】
内視鏡システムを操作するための内視鏡プロセッサの入力装置であって、
前記入力装置は、タッチパネルと、前記タッチパネルの表面全体を覆うように貼着された、交換可能なフィルムセットとを備え、
前記フィルムセットは、透明度の高いフィルムを厚さ方向に複数枚重ねたフィルム群と、前記フィルム群を構成する各フィルムの端部に突出して形成され、前記各フィルムを剥がすための粘着性のない取手部とを備え、
前記フィルム群は、第１のフィルムと、前記第１のフィルムの直接上に重ねられた第２のフィルムを備え、
前記第１のフィルムに形成された第１の取手部と、前記第２のフィルムに形成された第２の取手部は、互いに対向する位置に形成されることを特徴とする内視鏡プロセッサの入力装置。
【請求項２】
前記取手部は、蛍光性を有することを特徴とする請求項１に記載の内視鏡プロセッサの入力装置。
【請求項３】
前記取手部は、前記フィルムの残数が記載されていることを特徴とする請求項１に記載の内視鏡プロセッサの入力装置。
【請求項４】
前記取手部は、それぞれ色が異なることを特徴とする請求項１に記載の内視鏡プロセッサの入力装置。
【発明の詳細な説明】
【技術分野】
【０００１】
本発明は、内視鏡プロセッサの入力装置に関する。
【背景技術】
【０００２】
内視鏡は一度使用する度に洗浄・消毒する必要がある。しかし、内視鏡検査では同一の内視鏡をその日のうちに多数の被検者に使用することが多く、短時間で効率良く洗浄・消毒を行わなければならない。
【０００３】
また、内視鏡の使用後には、内視鏡だけでなく、プロセッサ等の周辺機器の表面にも汚れが付着している場合があるため、周辺機器も使用後に洗浄・消毒することが好ましい。周辺機器の洗浄・消毒は、例えば、消毒用エタノール等の消毒液で表面を拭くことにより行われる（特許文献１参照）。
【先行技術文献】
【特許文献】
【０００４】
【特許文献１】特表２０１０−５２２２１７号公報
【発明の概要】
【発明が解決しようとする課題】
【０００５】
周辺機器のうち、例えば内視鏡プロセッサのタッチパネルは入力操作のために直接触れる機会が多く、汚れが付着しやすい。しかし、拭き取りによる表面消毒ではタッチパネル表面に圧力がかかるため劣化しやすくなったり、消毒液によりタッチパネル表面の劣化をまねく恐れがある。
【０００６】
したがって、本発明は、入力装置のタッチパネルの劣化が防止され、タッチパネル表面が清潔に保たれた内視鏡プロセッサの入力装置を提供することを課題とする。
【課題を解決するための手段】
【０００７】
本発明は上記課題を解決するためになされたものであり、本発明に係る内視鏡プロセッサの入力装置は、内視鏡システムを操作するための内視鏡プロセッサの入力装置であって、この入力装置は、タッチパネルと、タッチパネルの表面全体を覆うように貼着された、交換可能なフィルムセットとを備え、このフィルムセットは、透明度の高いフィルムを厚さ方向に複数枚重ねたフィルム群と、フィルム群を構成する各フィルムの端部に突出して形成され、この各フィルムを剥がすための粘着性のない取手部とを備えることを特徴とする。
【０００８】
フィルムセットがタッチパネルの表面全体を覆うように貼着されており、フィルム１枚毎に粘着性のない取手部を備えているため、使用する度にフィルムを１枚ずつ簡単に剥がすことができる。このため、タッチパネルの表面が汚れても、フィルムを剥がすことで洗浄・消毒の手間を省き、清潔な状態を保つことができる。
【０００９】
取手部は、１枚ずつずらして形成されることが好ましい。この場合には、フィルムを剥がすことが容易となる。
【００１０】
取手部は、蛍光性を有することが好ましい。この場合には、暗い内視鏡室でも取手部を視認することができ、フィルムを剥がすことが容易となる。
【００１１】
取手部は、フィルムの残数が記載されていることが好ましい。この場合には、フィルムの残数が容易に分かり、フィルムセットの交換時期を把握できる。
【００１２】
取手部は、それぞれ色が異なることは好ましい。この場合には、取手部の識別が容易となる。
【００１３】
取手部は、フィルム群の外周の全周に渡るように形成されていることが好ましい。この場合には、多くの取手部をつけることが可能となる。
【発明の効果】
【００１４】
本発明によれば、入力のためのタッチパネルの表面を交換可能なフィルムセットで被覆することにより、洗浄・消毒そのものを不要にし、常に新しいフィルム面を用意することが可能となる。このため、入力装置のタッチパネルの劣化が防止され、タッチパネル表面が清潔に保たれた内視鏡プロセッサの入力装置を提供することができる。
【図面の簡単な説明】
【００１５】
【図１】本発明の実施の形態に係る内視鏡プロセッサの入力装置を備える内視鏡システムの全体構成図である。
【図２】フィルムセットの作成方法を示す説明図である。
【図３】フィルムセットをタッチパネルに装着した状態を示す説明図である。
【図４】フィルムセットの別の例を示す説明図である。
【発明を実施するための形態】
【００１６】
以下、図面を参照して本発明の実施の形態について説明する。
【００１７】
図１は、本発明の実施の形態に係る内視鏡プロセッサの入力装置を備える内視鏡システム１０の全体構成図である。
【００１８】
内視鏡システム１０は、内視鏡２０、内視鏡プロセッサ３０、及びモニタ５０によって構成される。内視鏡２０は、可撓性のケーブル２１を介して内視鏡プロセッサ３０のプロセッサ接続口３１に接続される。内視鏡２０の先端近辺の被写体（図示せず）は、内視鏡２０内部を通るライトガイド２２を介して内視鏡プロセッサ３０に設けられる光源（図示せず）から照明光が照射される。照明光が照射される被写体は、内視鏡２０の挿入部先端２３に設けられるＣＣＤ等の撮像素子（図示せず）により撮像される。撮像される画像は映像信号として内視鏡プロセッサ３０に送られる。内視鏡プロセッサ３０に送られた映像信号は所定の処理が行われた後、モニタ５０に送られ、そこで被写体像が表示される。
【００１９】
内視鏡プロセッサ３０には、表示・入力装置としてのタッチパネル３２を備える。タッチパネル３２によって、内視鏡検査における所定の機能の実行や設定の変更等の入力操作を行う。タッチパネル３２の表面には、タッチパネル３２の表面全体を覆うように交換可能なフィルムセット４０が貼着される。
【００２０】
図２に、フィルムセット４０の作成方法を示す。まず、図２（ａ）に示すように、タッチパネル３２の大きさと同じ大きさのフィルムセット４０の矩形の台紙４１に、フィルムセット４０の１枚目を構成するフィルム４２ａを載置する。フィルム４２ａは透明度の高い薄膜で作られており、表面は粘着性がなく、裏面は粘着性を有し、台紙４１に取り外し可能に貼着される。フィルム４２ａの大きさは、タッチパネル３２の大きさ、つまり台紙４１の矩形の周囲より少しはみ出る程度であり、一端が少し突出した形状に形成されている。フィルム４２ａの突出した側の端部には、フィルム４２ａを剥がす際に、手やピンセット（図示せず）等で摘まむための取手部４３ａが突出して形成されている。取手部４３ａは紙やプラスチック等の粘着性がなく、フィルム４２ａ等に接触して付かない材質で作られている。取手部４３ａには、最後のフィルムであることを表す数字「１」が記載されている。
【００２１】
次に、図２（ｂ）に示すように、フィルム４２ａの上に、フィルムセット４０の２枚目を構成するフィルム４２ｂを載置する。フィルム４２ａと同様に、フィルム４２ｂは透明度の高い材質で作られており、表面は粘着性がなく、裏面は粘着性を有し、フィルム４２ａに取り外し可能に貼着される。フィルム４２ｂの大きさは、フィルム４２ａと同様に、タッチパネル３２の大きさ、つまり台紙４１の矩形の周囲より少しはみ出る程度であり、一端が少し突出した形状に形成されている。この突出は、フィルム４２ａの形状とは異なる形状であり、一部はフィルム４２ａと重なっている。フィルム４２ｂの突出した側の端部には、取手部４３ｂが突出して形成されている。取手部４３ｂも、取手部４３ａと同様に粘着性がなく、フィルム４２ａ、４２ｂ、取手部４３ａ等に接触して付かない材質で作られている。取手部４３ｂは、取手部４３ａに重ならないように、ずらした位置に形成されている。取手部４３ｂには、最後から２枚目のフィルムであることを表す数字「２」が記載されている。
【００２２】
更に、図２（ｃ）に示すように、フィルム４２ｂの上に、フィルムセット４０の３枚目を構成するフィルム４２ｃを載置する。フィルム４２ａ、４２ｂと同様に、フィルム４２ｃは透明度の高い材質で作られており、表面は粘着性がなく、裏面は粘着性を有し、フィルム４２ｂに取り外し可能に貼着される。フィルム４２ｃの大きさは、フィルム４２ａ、４２ｂと同様に、タッチパネル３２の大きさ、つまり台紙４１の矩形の周囲より少しはみ出る程度であり、一端が少し突出した形状に形成されている。この突出は、フィルム４２ａ、４２ｂの形状とは異なる形状であり、一部はフィルム４２ａ、４２ｂと重なっている。フィルム４２ｃの突出した側の端部には、取手部４３ｃが突出して形成されている。取手部４３ｃも、取手部４３ａ、４３ｂと同様に粘着性がなく、フィルム４２ａ、４２ｂ、４２ｃ、取手部４３ａ、４３ｂ等に接触して付かない材質で作られている。取手部４３ｃは、取手部４３ａ、４３ｂに重ならないように、ずらした位置に形成されている。取手部４３ｃには、最後から３枚目のフィルムであることを表す数字「３」が記載されている。
【００２３】
台紙４１の上にフィルム４２ａ、４２ｂ、４２ｃ・・・を重ねて貼着していき、フィルムを厚さ方向に複数枚重ねたフィルム群４２を構成する。図２（ｄ）に示すように、取手部４３ａ、４３ｂ、４３ｃ・・・は、それぞれが重ならないように矢印Ｘの方向に少しずつ位置をずらしてフィルム群４２の端部に形成される。このようにして、各取手部４３ａ、４３ｂ、４３ｃ・・・は、台紙４１の外周の全周に渡るように形成された取手部４３を構成する。
【００２４】
フィルムセット４０をタッチパネル３２の表面に装着する際には、図３に示すように、フィルム群４２と取手部４３とを備えるフィルムセット４０の台紙４１を剥がして貼着することにより行う。内視鏡検査が終了すると、一番上のフィルムの取手部を指又はピンセットで摘まんで剥がす。フィルムは、検査が終了する度に一枚ずつ剥がす。当日の内視鏡検査が全て終了すると、残りのフィルムセット４０をタッチパネル３２の表面から剥がす。
【００２５】
本発明の実施の形態に係る内視鏡プロセッサの入力装置では、タッチパネルの表面全体を覆うように貼着された交換可能なフィルムセットの取手部が粘着性がなく、他のフィルムや取手部と接触していても付くことがないため、手袋等の使用で細かい作業が困難な場合であっても、簡単に摘まんでフィルムを剥がすことが容易となる。そして、内視鏡検査が終わる度に取手部を摘まんでフィルムを１枚ずつ剥がして捨てることにより、タッチパネルの表面が汚れても、フィルムを剥がすことで洗浄・消毒の手間を省き、タッチパネルを常に清潔な状態に保つことができる。また、タッチパネル表面を拭く手間が省けるため、タッチパネルの劣化が防止される。
【００２６】
また、取手部には、フィルムの残数が記載されているため、フィルムの残数が容易に分かり、フィルムセットの交換時期を容易に把握することができ、突然フィルムがなくなる事態が防止される。
【００２７】
フィルムの材質は、数十枚重ねても充分な視認性を有するならどのような材質でも構わない。枚数の多いセットの方が新しいフィルムセットを装着する回数が減って効率的になるが、フィルムセットのフィルムの枚数は、最低、一日に行う検査の回数と同じ枚数があれば良い。その他の事態に備えて、一日に行う検査の回数よりも少し多目に準備しておくことが好ましい。
【００２８】
なお、取手部は、蛍光性を有していても良い。この場合には、暗い内視鏡室でも取手部を視認することができ、フィルムを剥がすことが容易となる。
【００２９】
取手部は、それぞれ色が異なっていても構わない。例えば、フィルムの最後の１枚に形成された取手部の色を他の取手部と色と異なる色としたり、取手部の色に濃度勾配をつけることにより、取手部を識別する。この場合には、フィルムの残数が容易に分かり、フィルムセットの交換時期を把握できる。
【００３０】
また、図４に示すように、取手部４３ａ、４３ｂが形成される位置を、互いに隣接する位置ではなく、対向する位置としても構わない。
【００３１】
１０  内視鏡システム
２０  内視鏡
２１  可撓性のケーブル
３０  内視鏡プロセッサ
３１  プロセッサ接続口
３２  タッチパネル
４０  フィルムセット
４１  台紙
４２  フィルム群
４３  取手部
５０  モニタ
【図１】
0005665531.tif 000002
【図２】
0005665531.tif 000003
【図３】
0005665531.tif 000004
【図４】
0005665531.tif 000005